(57)【要約】【課題】トリップしたときにハンドルが中間位置で止まらない構造であっても、トリップ状態にあることを示す警報を出力できる回路遮断装置を提供する。【解決手段】ハンドル１を備えた回路遮断器２と、この回路遮断器２のトリップ時に警報を出力する警報部３とを備えた回路遮断装置である。警報部３は、回路遮断器２の接点情報を検出する接点情報検知部１０と、回路遮断器の接点情報からトリップ状態を判定するトリップ判定部１２と、回路遮断器のハンドルをオフ操作することを妨げるとともに、トリップ判定部の機能のオンオフを切り替えるスイッチ部とを備える。スイッチ部としてハンドルロック部４を用いることができる。【選択図】図２
2016213005.tif 000002
【特許請求の範囲】
【請求項１】
ハンドルを備えた回路遮断器と、この回路遮断器のトリップ時に警報を出力する警報部と、回路遮断器の接点情報を検出する接点情報検知部とを備えた回路遮断装置であって、前記警報部は、回路遮断器の接点情報からトリップ状態を判定するトリップ判定部と、回路遮断器のハンドルをオフ操作することを妨げるとともに、トリップ判定部の機能のオンオフを切り替えるスイッチ部とを備えたものであることを特徴とする回路遮断装置。
【請求項２】
前記警報部は、回路遮断器のハンドルをオフ操作することを妨げるハンドルロック部を備え、前記スイッチ部はハンドルロック部の状態によりトリップ判定部の機能のオンオフを切り替えるものであることを特徴とする請求項１記載の回路遮断器。
【請求項３】
前記スイッチ部は、ハンドルロック部がハンドルロック位置にあるときトリップ判定部の機能をオンに切替え、解除位置にあるときトリップ判定部の機能のオフを切り替えることを特徴とする請求項２記載の回路遮断装置。
【請求項４】
警報部を回路遮断器に並列して配置したことを特徴とする請求項１〜３の何れかに記載の回路遮断装置。
【請求項５】
ハンドルロック部は回動自在なものであることを特徴とする請求項２〜４の何れかに記載の回路遮断装置。
【請求項６】
ハンドルを備えた回路遮断器と、この回路遮断器のトリップ時に警報を出力する警報部と、回路遮断器の接点情報を検出する接点情報検知部とを備えた回路遮断装置であって、前記警報部は、回路遮断器の接点情報からトリップ状態を判定するトリップ判定部と、トリップ判定部の機能のオンオフを切り替えるスイッチ部とを備えたものであることを特徴とする回路遮断装置。
【発明の詳細な説明】
【技術分野】
【０００１】
本発明は、トリップ時に警報を出力する警報部を備えた回路遮断装置に関するものである。
【背景技術】
【０００２】
産業分野等で使用される回路遮断器は、特許文献１に示されるように、過電流や漏電などを検出してトリップしたときに、ハンドルがオン位置とオフ位置との中間位置（トリップ位置）で止まる構造となっている。このためハンドル位置を利用して、回路遮断器がトリップ状態にあることを示す警報表示を行なうことが可能である。
【０００３】
しかし住宅用の回路遮断器は、トリップ後の復帰操作について知識のない一般使用者の混乱を防ぐため、ハンドル位置はオン位置とオフ位置に限定され、トリップしたときにもハンドルが中間位置で止まらず、オフ位置で止まるようになっている（特許文献２）。
【０００４】
このためハンドルがオフ位置にあるときに、ハンドルがオフされている状態であるのか、トリップした状態にあるのかの判別ができない。また、回路遮断器の接点が解離することにより警報を出力する付属装置を用いても、接点の解離がハンドル操作によるものか、トリップによるものかの判別ができないという問題があった。
【先行技術文献】
【特許文献】
【０００５】
【特許文献１】特開２００６−２３６８７４号公報
【特許文献２】特開２００９−２３０８９０号公報
【発明の概要】
【発明が解決しようとする課題】
【０００６】
従って本発明の目的は上記した従来の問題点を解決して、回路遮断器がトリップしたときにハンドルが中間位置で止まらない構造であっても、トリップ状態にあることを示す警報を出力できる回路遮断装置を提供することである。
【課題を解決するための手段】
【０００７】
上記の課題を解決するためになされた請求項１の発明は、ハンドルを備えた回路遮断器と、この回路遮断器のトリップ時に警報を出力する警報部と、回路遮断器の接点情報を検出する接点情報検知部とを備えた回路遮断装置であって、前記警報部は、回路遮断器の接点情報からトリップ状態を判定するトリップ判定部と、回路遮断器のハンドルをオフ操作することを妨げるとともに、トリップ判定部の機能のオンオフを切り替えるスイッチ部とを備えたものであることを特徴とするものである。
【０００８】
請求項２のように、前記警報部は、回路遮断器のハンドルをオフ操作することを妨げるハンドルロック部を備え、前記スイッチ部はハンドルロック部の状態によりトリップ判定部の機能のオンオフを切り替えるものとすることができる。また請求項３のように、前記スイッチ部は、ハンドルロック部がハンドルロック位置にあるときトリップ判定部の機能をオンに切替え、解除位置にあるときトリップ判定部の機能のオフを切り替えるものとすることができる。また請求項４のように、警報部は回路遮断器に並列して配置した構造とすることができ、また請求項５のように、ハンドルロック部は回動自在なものとすることができる。
【０００９】
請求項６の発明は、ハンドルを備えた回路遮断器と、この回路遮断器のトリップ時に警報を出力する警報部と、回路遮断器の接点情報を検出する接点情報検知部とを備えた回路遮断装置であって、前記警報部は、回路遮断器の接点情報からトリップ状態を判定するトリップ判定部と、トリップ判定部の機能のオンオフを切り替えるスイッチ部とを備えたものであることを特徴とするものである。
【発明の効果】
【００１０】
請求項１の発明の回路遮断装置は、回路遮断器の接点情報を検出する接点情報検知部と、回路遮断器の接点情報からトリップ状態を判定するトリップ判定部と、回路遮断器のハンドルをオフ操作することを妨げるとともに、トリップ判定部の機能のオンオフを切り替えるスイッチ部とを備えた警報部を持つ。このためスイッチ部をオンとしてハンドルのオフ操作ができないようにしておけば、接点がオフとなったときにはトリップ判定部が接点情報からトリップ状態であると判定する。従って回路遮断器がトリップしたときにハンドルが中間位置で止まらない構造であっても、トリップ状態にあることを示す警報を出力することができる。またスイッチ部をオフとしておけば、ハンドルを手動でオフ操作しても、警報が出力されることはない。
【００１１】
請求項２の発明によれば、回路遮断器のハンドルをオフ操作することを妨げるハンドルロック部の状態により、スイッチ部がトリップ判定部の機能のオンオフを切り替える。このため、ハンドルロック部の位置と、接点の状態とからトリップ判定を行うことができ、ハンドル位置によってトリップ状態を検出する必要がないので、回路遮断器がトリップしたときにハンドルが中間位置で止まらない構造であっても、トリップ状態にあることを示す警報を出力することができる。
【００１２】
請求項３の発明では、トリップ判定部は、ハンドルロック部がハンドルロック位置にあるときトリップ判定部の機能をオンに切替え、解除位置にあるときトリップ判定部の機能をオフに切り替える。すなわち、ハンドルがオン位置にロックされており、かつ回路遮断器の接点がオフとなったときにのみトリップしたものと判定する。ハンドルを手動でオフとした場合には回路遮断器の接点がオフであってもトリップと判定しないので、誤判定をなくすことができる。
【００１３】
また請求項４の発明のように、警報部を回路遮断器に並列して配置した構造としておけば、回路遮断器と同様に警報部を分電盤の機器設置スペースに配置することができる。また請求項５のように、ハンドルロック部を回動自在な構造としておけば、ハンドルロック状態と解除状態とを容易に切り替えることができる。
【００１４】
請求項６の発明の回路遮断装置は、回路遮断器の接点情報を検出する接点情報検知部と、回路遮断器の接点情報からトリップ状態を判定するトリップ判定部と、トリップ判定部の機能のオンオフを切り替えるスイッチ部とを備えた警報部を持つ。このためスイッチ部をオンとしておけば、接点がオフとなったときにはトリップ判定部が接点情報からトリップ状態であると判定する。従って回路遮断器がトリップしたときにハンドルが途中で止まらない構造であっても、トリップ状態にあることを示す警報を出力することができる。またスイッチ部をオフとしておけば、ハンドルを手動操作でオフ操作しても、警報が出力されることはない。
【図面の簡単な説明】
【００１５】
【図１】第１の実施形態を示す斜視図である。
【図２】ハンドルロック部がハンドルロック位置にある状態を示す斜視図である。
【図３】ハンドルロック部が解除位置にある状態を示す斜視図である。
【図４】回路構成を示すブロック図である。
【図５】トリップ判定部の回路図（ハンドルオン）である。
【図６】トリップ判定部の回路図（ハンドルオフ）である。
【図７】第２の実施形態を示す斜視図である。
【図８】ハンドルロック部が解除位置にある状態を示す斜視図である。
【図９】接点情報検知部の変形例を示す要部断面図である。
【図１０】スイッチ部の他の実施形態を示す回路図（オフ）である。
【図１１】スイッチ部の他の実施形態を示す回路図（トリップ）である。
【図１２】スイッチ部の変形例を示す斜視図である。
【発明を実施するための形態】
【００１６】
以下に本発明の実施形態を示す。
図１に示すように、本発明の回路遮断装置は、ハンドル１を備えた回路遮断器２と、警報部３とからなるものである。この実施形態では警報部３の筐体の幅は回路遮断器２の筐体の幅の半分である。警報部３は回路遮断器２に並列して配置され、分電盤の回路遮断器２の設置スペースに配置することができる。警報部３も回路遮断器２と同様のプラグイン構造となっており、後述する警報出力部１３の表示を点灯表示とする場合には、共通の母線バーに接続して電源を確保することができる。ただし警報出力部１３に電源を必要としない場合には、警報部３の筐体の端面に、母線バーとの干渉を回避するための単なる凹部３Ａを形成しておけばよい。また以下に説明する実施形態では、回路遮断器２と警報部３は別体となっているが、同一の筐体の内部に組み込んで両者を一体化させることもできる。
【００１７】
警報部３の上部には、スイッチ部として機能するハンドルロック部４が設けられている。この実施形態のハンドルロック部４は、回路遮断器２の取付面に対して垂直な垂直軸５からロック片６を突設した構造であり、このロック片６を回路遮断器２のハンドル１の回転軸７と平行な面内で９０度回転させることができる。図１はハンドルロック部４がハンドル１を自由にオンオフできる解除位置にある状態を示し、図２はハンドルロック部４がハンドル１をオン位置に拘束し、オフ操作不能としたハンドルロック位置にある状態を示している。このようにロック片６は回路遮断器２のハンドル１をオフ操作することを妨げるものである。なおハンドルロック位置への移動は、手動で行なうようにしても、バネの付勢により自動で行なうようにしてもよい。またハンドルロック部４はハンドル１をオフ操作することを妨げるものであればよく、例えばハンドルロック部４をハンドル１のロック位置と解除位置に摺動自在に設けたものとしてもよい。
【００１８】
図４に示すように、警報部３の内部にはハンドルロック部４がハンドルロック位置にあるか、解除位置にあるかを検出するハンドルロック状態検出部８が設けられている。ハンドルロック状態検出部８は、例えば垂直軸５の回転位置をマイクロスイッチ等によって検出する構造とすることができる。後述するように、このハンドルロック状態検出部８により検出されたハンドルロック部４の位置に応じて、トリップ判定を行なうか否かの切り替えが行われ、ハンドルロック部４はスイッチ部として機能する。なおスイッチ部としては、図１２に示すようにハンドルロック部１４に替えて、押ボタン１６等による外部操作式のものを用いることもできる。
【００１９】
図３に示されるように、回路遮断器２の筐体には貫通穴９が形成されている。図４に示すように警報部３には接点情報検知部１０が設けられており、貫通穴９を通じて回路遮断器２の接点１１がオン位置にあるのか、オフ位置にあるのかの接点情報を検出する。接点情報の検知は、例えば光学的手段あるいは機械的手段によって行うことができる。なお、接点情報検知部１０を回路遮断器２の内部に設け、接点情報を信号線で警報部３に入力してもよい。
【００２０】
警報部３にはさらにトリップ判定部１２が設けられている。このトリップ判定部１２は、ハンドルロック状態検出部８により検出されたハンドルロック部４の状態と、接点情報検知部１０により検知された回路遮断器２の接点情報からトリップ状態を判定するものである。
【００２１】
この実施形態では、トリップ判定部１２の機能は、ハンドルロック状態検出部８により検出されたハンドルロック部４がハンドルロック位置にあるときにオンとなるが、ハンドルロック部４が解除位置にあるときオフとなるように切替えられる。このため、ハンドルロック部４が図２のようにハンドル１をオン位置にロックした状態において、接点情報検知部１０が回路遮断器２の接点１１がオフとなったことを検出すると、トリップ判定部１２がトリップしたものと判定し、警報出力部１３はトリップ状態か否かを示す警報を出力する。警報は点灯表示としたり、機械的表示としたりすることができる。また警報出力部１３は、外部に警報を出力する出力線を備えてもよい。
【００２２】
この実施形態では、警報出力部１３は図２に示されるようにハンドルロック部４がハンドルロック位置にあるときに露出するが、図１に示されるようにハンドルロック部４が解除位置にあるときには隠れる位置に設けられている。これによって使用者に誤解が生じることを防いでいる。しかし警報出力部１３の構成や配置はこれに限定されるものではない。
【００２３】
トリップ判定部１２の機能は、スイッチ部であるハンドルロック部４が図１の解除位置にあるときにはオフとされる。従ってハンドルロック部４を図１の解除位置とし、手動でハンドル１をオフとした場合にはトリップ判定が行われず、警報出力部１３の警報が出力されることはない。
【００２４】
図５と図６にトリップ判定部１２の回路を示す。図５に示すように、トリップ判定部１２は２つの警報接点Ｓａ、Ｓｂを備え、警報接点Ｓａは非トリップ状態にあることを示す警報を出力する警報出力部１３に接続され、警報接点Ｓｂはトリップ状態にあることを示す警報を出力する警報出力部１３に接続されている。このようにして警報接点が切り替わることによってトリップ判定を行う。図５に示すように、ハンドル１がオン（接点１１がオン）の状態でハンドルロック部４をハンドルロック位置に動かしてトリップ判定機能をオンとすると、警報接点Ｓｂがオンとなり、非トリップ状態にあることを示す警報を出力する警報出力部１３が警報出力する。この状態から接点１１がオフとなると、図６に示すように警報接点がＳａに切り替わるので、トリップ状態にあることを示す警報を出力する警報出力部１３が警報出力する。しかしハンドルロック部４が解除位置に動かされるとトリップ判定機能がオフになるので警報接点Ｓａ、Ｓｂはともにオフとなる。従って、接点１１が手動でオンオフされてもトリップ判定は行われない。
【００２５】
図７、図８に本発明の第２の実施形態を示す。この実施形態では、ハンドルロック部４は回路遮断器２の長手方向軸１４を中心として跳ね上げ式となっている。図７はハンドルロック部４がハンドルロック位置にある状態を示しているが、トリップするとハンドル１がオフ位置に移動される力によってハンドルロック部４は跳ね上げられ、図８に示すようにハンドルロックが解除される。
【００２６】
この第２の実施形態でもハンドルロック部４の位置がハンドルロック状態検出部８により検出され、図７のハンドルロック位置ではトリップ判定機能がオンとされる。このため図７の状態でトリップすると、第１の実施形態と同様にトリップ判定が行われ、警報表示がなされる。しかし図８のようにハンドルロック部４は跳ね上げられた後はトリップ判定機能がオフとなる。手動操作でハンドル１をオフとする場合には、ハンドルロック部４を図８の状態としてからハンドル１をオフ操作するため、トリップ判定が行われることはない。
【００２７】
このように、この第２の実施形態においても、ハンドル１の位置によってトリップ状態を検出しないので、トリップしたときにハンドル１が中間位置で止まらない構造であっても、トリップ状態にあることを示す警報を出力することができる。
【００２８】
図９に回路遮断器２の接点情報を検出する接点情報検知部１０の変形例を示す。この例では、ハンドルロック部４の下面にマイクロスイッチ１５が設けられている。ハンドルロック部４がハンドルロック位置にあるとき、回路遮断器２がトリップするとハンドル１はオフ側に反転しようとするため、ハンドル１がマイクロスイッチ１５を押圧する。これによって接点１１がオフとなったとの接点情報を得ることができる。この接点情報とハンドルロック部４の位置情報とに基づいて、トリップ判定部１２はトリップ判定を行う。
【００２９】
図１０と図１１に、スイッチ部の他の実施形態を示す。この実施形態では、トリップ状態にあることを示す警報を出力する警報出力部１３と、非トリップ状態にあることを示す警報を出力する警報出力部１３とを切り替えるスイッチ部が警報接点Ｓａに接続されている。図１０はハンドルロックを解除した状態でハンドル１をオフとした場合を示し、非トリップ表示が行なわれている。ハンドルロックを解除することで、スイッチ部が非トリップ状態にあることを示す警報を出力する警報出力部１３に接続される。この状態では、ハンドル１のオンオフにかかわらず、非トリップ状態にあることを示す警報を出力する。
【００３０】
図１１はハンドルロック状態で接点がオフとなった場合を示し、トリップ表示が行なわれている。ハンドルロック状態では、スイッチ部がトリップ状態にあることを示す警報を出力する警報出力部１３に接続される。この状態では、ハンドル１をオフとした場合にトリップ状態にあることを示す警報を出力し、ハンドル１をオンとした場合に非トリップ状態にあることを示す警報を出力する。
【００３１】
前記した図５、図６の実施形態では、ハンドルロック部４が解除位置に動かされると警報接点Ｓａ、Ｓｂの回路を開いて警報表示を行えなくすることでトリップ判定機能をオフとしていた。これに対して図１０と図１１の実施形態では、スイッチ部を非トリップ状態にあることを示す警報を出力する警報出力部１３に切り替えて閉回路とし、常に非トリップ状態を表示させることにより、トリップ判定機能をオフとしている。これにより、ハンドル１を手動でオフ操作する場合でも非トリップ状態であることを表示させることができる。
【００３２】
以上に説明したように、本発明によれば、回路遮断器２がトリップしたときにハンドル１が中間位置で止まらない構造であっても、接点がオンオフ何れの状態にあるかの接点情報に基づいて、トリップ状態にあることを示す警報を出力することができる。
【符号の説明】
【００３３】
１  ハンドル
２  回路遮断器
３  警報部
３Ａ  凹部
４  ハンドルロック部
５  垂直軸
６  ロック片
７  ハンドルの回転軸
８  ハンドルロック状態検出部
９  貫通穴
１０  接点情報検知部
１１  接点
１２  トリップ判定部
１３  警報出力部
１４  長手方向軸
１５  マイクロスイッチ
１６  押ボタン
【図１】
2016213005.tif 000003
【図２】
2016213005.tif 000004
【図３】
2016213005.tif 000005
【図４】
2016213005.tif 000006
【図５】
2016213005.tif 000007
【図６】
2016213005.tif 000008
【図７】
2016213005.tif 000009
【図８】
2016213005.tif 000010
【図９】
2016213005.tif 000011
【図１０】
2016213005.tif 000012
【図１１】
2016213005.tif 000013
【図１２】
2016213005.tif 000014